(57)【要約】【課題】本発明は、夜間、照明を落とした病室の暗がりの中でも、呼出ボタンの位置がすぐわかるナースコール子機を提供し、前記問題を解決することを課題とする。【解決手段】本発明は、１つの発光体を、呼出状態においては、呼出確認灯として、待機状態においては、呼出ボタンの位置を示す照明灯として兼用できること、および、ナースコール子機の待機状態であって、かつ規定音量以上の音入力があった場合に限り、一定時間だけ、発光体を照明灯として稼動させることようにしたことを特徴とする。【選択図】図１
2007296067.tif 000002
【特許請求の範囲】
【請求項１】
ナースコール親機と組み合わせて使用され、ナースコール親機を呼出すための呼出ボタンを備えたナースコール子機において、呼出状態においては、呼出中であることを表示する呼出確認灯として機能し、待機状態においては、前記呼出ボタンの位置を示す照明灯として機能する発光体を備えたことを特徴とするナースコール子機。
【請求項２】
待機状態において、周囲音が入力されるマイクと、前記マイクに入力された音量レベルが基準値を超えた場合に、所定時間の間、点灯または点滅信号を出力する表示制御手段とを備え、前記表示制御手段の出力で、前記発光体を、呼出状態とは異なる発光態様で点灯または点滅させ、その光で、呼出ボタンの位置を明示できるようにしたことを特徴とする請求項１記載のナースコール子機。
【発明の詳細な説明】
【技術分野】
【０００１】
本発明は、病室にいる患者が看護師を呼出すために使用するナースコール子機に係り、特に、夜間、病室照明が落とされたあとの暗がりの中でも、呼出ボタンの存在位置を容易に確認できるナースコール子機に関する。
【背景技術】
【０００２】
ナースコール親機と組み合わせて使用されるナースコール子機は、大別すると、壁付け型とハンド型に区分される。
【０００３】
特許文献１には、壁付型の１例が記載されている。すなわち、壁面に固定される長方形のプレートを有し、両側にスピーカ、マイク、中央に呼出ボタンおよび呼出確認灯を有する例が示されている。
【０００４】
特許文献２には、壁面に固定されるプレート子機５にコード付きのハンドボタン４を接続した例が示されている。
【０００５】
特許文献３には、ハンド型の代表例が記載されている。すなわち、壁面に固定される子機プレートにコード付きのハンド形子機を接続した例が示されている。
【０００６】
ところで、ナースコール子機に関する要望を病院の担当者に聞くと、病室の夜間消灯後の暗がりの中でもナースコールの押しボタンがどこにあるかわかるようにしてほしいとよく言われる。担当者によれば、現状、蓄光テープ等で対応しているが、光が弱い、持続時間が短いなど、実用上の問題があり、切実な問題となっている。
【０００７】
【特許文献１】・・・・意匠登録第１１４１８４９号号公報
【特許文献２】・・・・特開２００５−３４９０４２号公報
【特許文献３】・・・・特開平９−１３０４９０号公報
【発明の開示】
【発明が解決しようとする課題】
【０００８】
前記公知例には、いずれにも、前記した病院現場の切実な問題を解決する技術を示唆する記載はない。
【０００９】
そこで本発明は、夜間、照明を落とした病室の暗がりの中でも、呼出ボタンの位置がすぐわかるナースコール子機を提供し、前記問題を解決することを課題とする。
【課題を解決するための手段】
【００１０】
本発明によるナースコール子機は、１つの発光体を、呼出状態においては呼出確認灯として、待機状態においては、呼出ボタンの位置を示す照明灯として兼用できるようにしたことを特徴とする。
【００１１】
また、本発明は、ナースコール子機の待機状態であって、かつ規定音量以上の音入力があった場合に限り、一定時間だけ、発光体を照明灯として稼動させることを特徴とする。
【００１２】
なお、照明灯としての発光態様は、点滅時間や点灯色で呼出確認状態とは区別できるものとし、かつ、発光時間は、呼出ボタンの位置を探すのに必要な短時間に限定できるものとする。
【発明の効果】
【００１３】
本発明は、前記のように構成されているので、夜間病室の暗がりのなかでもナースコール子機の位置はもちろん、呼出ボタンの位置もすぐわかる。
【００１４】
もちろん、例えば、握り呼出ボタンがベッドから落ちたり、蒲団の間に隠れていても、発光体の光を目当てに容易に探しだせる。
【００１５】
壁付型の場合も、従来は、暗がりの中でナースコール子機の位置に当たりをつけ、その表面にある呼出ボタンを手探りで探すというようなこともあったが、そんな不便は無くなる。
【００１６】
また、本発明によれば、１つの発光体を呼出確認用および照明用に兼用できるため、デザイン上の制約が少なく、コストを低減できる。
【００１７】
また、本発明によれば、患者がナースコールを使いたいときだけ、ナースコールをする直前に手を叩く、あるいは空咳などの簡単な方法で、発光体を所定時間に限り点灯させることができる。発光体の点灯時間は短いので、周囲騒音による誤動作で発光しても実用上の支障は全くない。
【発明を実施するための最良の形態】
【００１８】
図１は、本発明のナースコール子機の接続例を示す構成図である。
【００１９】
図において、１はナースセンターに設置されるナースコール親機、２は病室の出入り口に設置される個別廊下灯、３ａ、３ｂは、患者のベッドサイドに設置されるナースコール子機である。
【００２０】
ナースコール子機３ａ、３ｂは、いずれも、ナースコール親機と通話するためのスピーカ、マイクを備えている。
【００２１】
ナースコール子機３ａにおいて、４は直付けの呼出ボタン、５は発光体、６は復旧ボタンである。
【００２２】
ナースコール子機３ｂは、直付けの呼出ボタン４の代わりに、呼出ボタン４、発光体５を有する握りボタン７が付いている点で、ナースコール子機３ａとは異なっている。
【００２３】
図１を参照して、ナースコール動作の概略を説明する。
【００２４】
ナースコール子機３ａ、３ｂの呼出ボタン４を押すと、発光体５が点灯または点滅する。操作者は、発光体５の点灯または点滅でナースコール親機に対し、呼出中であることを確認できる。
【００２５】
ナースコール子機３ａ、３ｂから送信された呼出信号は、個別廊下灯２を介してナースコール親機１に送信される。ナースコール親機１では、呼出表示灯が点滅し、呼出音が鳴る。ここで、ナースコール親機１の送受器をとると、ナースコール親機１とナースコール子機３a、３ｂとの間で通話ができる。
【００２６】
図２は、通話機能を備えたプレート形のナースコール子機の１例を示したものであり、５は発光体、４は呼出ボタンである。
【００２７】
なお、本発明によれば、発光体５に代えて、呼出ボタン４のキャップを透光材料で形成し、内部に発光素子５ａを設け、いわゆる、自照式あるいは内照式の構造とすることもできる。
【００２８】
図３は、握りボタン７の１実施例を示したものであり、４は呼出ボタン、８はトップカバー、９はケース本体、１０は延長コードである。
【００２９】
図において、５は、ケース本体９内に設けられる発光素子５ａと、トップカバー８およびケース本体９の間に取り付けられた、リング状の透光キャップ５ｂとで構成される発光体であり、発光素子５ａから透光キャップ５ｂに光を照射することにより透光キャップ５ｂが輝くようになっている。
【００３０】
図４は、ナースコール子機の１例を示す回路ブロック図である。
図において、１１は個別廊下灯２の受話ラインに接続されるスピーカ、１２は収音マイク、１３はマイクアンプである。
【００３１】
マイクアンプ１３は、送信先切替手段１４内の切替回路ａ１に接続されている。
また、切替回路ａ１の通話接点は、個別廊下灯２の送話ラインに、待機接点は、音量判別手段１５を介して表示制御手段１６にそれぞれ接続されている。
【００３２】
送信先切替手段１４において、Ａは切替回路ａ１の切替動作を制御する制御手段であり、個別廊下灯２の送話ラインに接続されている。
【００３３】
この送話ラインには、通話状態になると、個別廊下灯２側から所定の電圧が印加されるものであり、その電圧で制御手段Ａが駆動され、切替回路ａ１は通話側に切り替わり、マイクアンプ１３の出力は、送話ラインに出力される。
【００３４】
１７は、表示切替手段であり、サイリスタ１８に接続された制御手段Ｂと、制御手段Ｂの作用で切り替えられ切替回路ｂ１とで構成されている。
【００３５】
切替回路ｂ１の共通端子は、抵抗を介して発光体５（発光素子５ｂ）に接続されている。
そして、切替回路ｂ１の待機接点は、表示制御手段１６に、また、呼出接点は、制御手段Ｂに接続されるとともに、復旧ボタン６を介して、個別廊下灯２の呼出ラインに接続されている。
【００３６】
図において、４は呼出ボタンであり、一端は個別廊下灯２の呼出ラインに、他端はサイリスタ１８のゲート回路に接続されている。
【００３７】
次に図４を参照してナースコール子機の動作を説明する。
【００３８】
まず、ナースコール子機の待機状態において、例えば、患者が両手を打合わせて音を出したとする。なお、発生させる音は、空せきでもよいし、音声でもよい。
【００３９】
発生した音ないし音声は、収音マイク１２で拾われ、マイクアンプ１３で増幅される。
増幅された音信号は切替回路ａ１の待機接点を介して音量判別手段１５に入力される。
音量判別手段１５は、入力された音信号を予め設定されている基準値を超えているかどうかを判別し、超えていれば所定の信号を出力するようになっている。
【００４０】
表示制御手段１６は、音量判別手段１５から入力される所定の信号でトリガーされるタイマー手段を具備し、タイマー手段に予め設定された時間だけ、点灯または点滅信号を出力する。
【００４１】
この点灯信号は切替回路ｂ１の待機接点を介して、発光体５に印加されこれを点灯または点滅させる。
【００４２】
次に、呼出ボタン４を押すと、呼出ラインの電圧でサイリスタ１８がＯＮする。サイリスタ１８がＯＮすると、制御手段Ｂを介して呼出ラインに電流が流れ、個別廊下灯２を介してナースコール親機１に呼出信号が送信される。
同時に、印加された電圧で制御手段Ｂが駆動され、切替回路ｂ１は呼出側に切替えられる。
このようにして、発光体５は呼出ラインに接続されその電圧を受けて点灯し、呼出中であることを表示する。
【００４３】
なお、収音マイク１２、マイクアンプ１３は、本実施例では、切替回路ａ１の通話接点を介して送話ラインに接続されており、ナースコール親機１との通話用に兼用できる構成になっているが、通話用として、専用のマイク、マイクアンプを設け、点灯指示用の音を収音、増幅するマイク、アンプとを別けてもよい。
【００４４】
また、本実施例では、発光体５を発光素子と透光キャップで構成してあるが、透光キャップなしの発光素子のみで構成することもできる。たとえば、図３の場合、発光リング５ｂを設けず、発光素子５ａの光を、導光空隙を透して外部に照射できるようにしてもよい。
【００４５】
更に本発明によれば、発光素子５ｂとして２色表示素子を使用し、呼出確認灯および照明灯としての機能に応じて発光色を変えることもできる。
【図面の簡単な説明】
【００４６】
【図１】本発明のナースコール子機の接続例を示す構成図。
【図２】本発明の１実施例を示すナースコール子機の平面図。
【図３】本発明の１実施例を示す握りボタンの操作部外観図。
【図４】本発明の１実施例を示すナースコール子機のブロック回路図。
【符号の説明】
【００４７】
１    ナースコール親機
２    個別廊下灯
３ａ  ナースコール子機
３ｂ    ナースコール子機
４    呼出ボタン
５    発光体
５ａ    発光素子
５ｂ    透光キャップ
６    復旧ボタン
７    握りボタン
８    トップカバー
９    ケース本体
１０    延長コード
１１    スピーカ
１２    収音マイク
１３    マイクアンプ
１４    送信先切替手段
１５    音量判別手段
１６    表示制御手段
１７    表示切替手段
１８    サイリスタ
【図１】
2007296067.tif 000003
【図２】
2007296067.tif 000004
【図３】
2007296067.tif 000005
【図４】
2007296067.tif 000006